(57)【特許請求の範囲】
【請求項１】
箱体の扉が取り付けられる開口部に設けられた上部水切りと、この上部水切りから落下する水を受ける垂直な側部水切りとの接続部に、上部水切りから落下する水を側部水切りの上端部において側部水切り内の箱体側に誘導する規制部を形成したことを特徴とする電気機器収納用箱。
【請求項２】
規制部が、上部水切りの端部に箱体側を切欠いて形成された庇部である請求項１に記載の電気機器収納用箱。
【請求項３】
庇部が、先端側を細くした形状のものである請求項２に記載の電気機器収納用箱。
【請求項４】
庇部もしくは上部水切りの側部に、上方に立ち上がる壁部を設けた請求項２に記載の電気機器収納用箱。
【請求項５】
規制部が、側部水切りの上端に形成された傾斜片である請求項１に記載の電気機器収納用箱。
【発明の詳細な説明】
【０００１】
【発明の属する技術分野】
本発明は、配電盤、制御盤等に用いられる電気機器収納用箱のうち、屋外で使用されるタイプのものに関するものである。
【０００２】
【従来の技術】
従来から、屋外で使用される電気機器収納用箱の扉が取り付けられる開口部の上方には、図９、図１０に示されるような上部水切り１が設けられており、この上部水切り１の端部から流下した水は、扉２と箱体３との間に形成される垂直な側部水切り４内に入り、下方に排出されるようになっている。
【０００３】
ところが、垂直な側部水切り４の扉２側に沿って水が流れると、扉２の内側を伝わって水が箱体３の内部に浸入する可能性があった。また、図１１に示すように扉２の蝶番カラー部５に当たった水滴が跳ね返り、図１２に示す経路から扉２の内側に水が浸入する可能性もあった。
【０００４】
【発明が解決しようとする課題】
本発明は上記した従来の問題点を解決し、上部水切りの端部から流下した水が扉の内側に浸入することを防止した防水性に優れた電気機器収納用箱を提供するためになされたものである。
【０００５】
【課題を解決するための手段】
上記の課題を解決するためになされた本発明の電気機器収納用箱は、箱体の扉が取り付けられる開口部に設けられた上部水切りと、この上部水切りから落下する水を受ける垂直な側部水切りとの接続部に、上部水切りから落下する水を側部水切りの上端部において側部水切り内の箱体側に誘導する規制部を形成したことを特徴とするものである。
【０００６】
なお上記の規制部を、上部水切りの端部に箱体側を切欠いて形成された庇部とすることができる。この庇部は、先端側を細くした形状のものとすることができ、また庇部もしくは上部水切りの側部に、上方に立ち上がる壁部を設けることができる。また規制部を、側部水切りの上端に形成された傾斜片とすることもできる。更に、開口部に扉を枢着する蝶番ピンの上端を傾斜させて上部水切りから落下する水の跳ね返りを抑制することが好ましい。
【０００７】
本発明の電気機器収納用箱は、上部水切りと垂直な側部水切りとの接続部に、上部水切りから落下する水を側部水切りの上端部において側部水切り内の箱体側に誘導する規制部を形成したことにより、扉の内面に沿って水が箱体の内部に浸入する可能性を防止することができる。また扉を枢着する蝶番ピンの上端を傾斜させて上部水切りから落下する水の跳ね返りを抑制すれば、更に防水性を高めることができる。
【０００８】
【発明の実施の形態】
以下に本発明の好ましい実施形態を示す。
図１と図２は第１の実施形態を示す図であり、１０は電気機器収納用箱の箱体、１１はこの箱体１０の扉１２が取り付けられる開口部である。この開口部１１の上部には樋状の上部水切り１３が設けられている。またこの開口部１１の側方にも垂直な樋状の側部水切り１４が形成されている。図２に示されるように、側部水切り１４の外側には扉１２の端部の折曲部１５が位置している。このため、雨水等は上部水切り１３の端部から側部水切り１４に流入し、箱体１０の下部に排出される。
【０００９】
本発明は、上部水切り１３と垂直な側部水切り１４との接続部に、上部水切り１３から落下する水を側部水切り１４の上端部において側部水切り１４内の箱体１０側に誘導する規制部を形成したものであり、この第１の実施形態では規制部として、上部水切り１３の端部に庇部１６を形成してある。この庇部１６は箱体１０側だけに切欠きを持つものである。このため、上部水切り１３から垂直な樋状の側部水切り１４内に落下する水はこの庇部１６によって邪魔されて側部水切り１４内の扉１２側には流れず、切欠きから箱体１０側に沿って流下する。従って扉１２の内面に沿って水が箱体１０の内部に浸入する可能性を防止することができる。
【００１０】
図３は第１の実施形態を示す図であり、庇部１６を先端側を細くした形状としたものである。この形状は流下する水流を箱体１０側に斜めに誘導する効果がある。またこの他に、斜辺を曲線状としてもよい。
【００１１】
図４と図５は第３の実施形態を示す図であり、庇部１６の先端に上方に立ち上がる壁部１７を形成したものである。この壁部１７は上部水切り１３から落下する水をせき止めて側部水切り１４内の箱体１０側に誘導するから、扉１２側に水が流れることを確実に防止できる。なお、この他に庇部を用いない方法として、壁部１７を上部水切り１３と側部水切り１４との接続部に直接立設してもよい。また前記した方法は上部水切り１３の水流が壁面と垂直にぶつかるが、水流が斜めに当たり水流の幅をだんだん狭くなるように上部水切り１３の樋の底面に壁部を立設してもよい。
【００１２】
図６と図７は第４の実施形態を示す図である。第１〜第３の実施形態では規制部が上部水切り１３側に設けられていたのに対して、この第４の実施形態では、規制部が側部水切り１４の上端に形成された傾斜片１８により構成されている。この傾斜片１８は上部水切り１３から側部水切り１４に流下する水を箱体１０側に誘導し、扉１２側に水が流れることを確実に防止できる。
【００１３】
図８は第５の実施形態を示す図である。この実施形態は上記した規制部と組み合わせて実施されるもので、開口部１１に扉１２を枢着する蝶番ピン１９の上端を丸く傾斜させ、上部水切り１４から落下する水の跳ね返りを抑制している。また図示のように、蝶番カラー２０の上端をも傾斜させておくことが好ましい。これにより、図１２に示した経路から水が扉１２の内部に浸入することを防止する効果がある。
【００１４】
【発明の効果】
以上に説明したように、本発明によれば上部水切りの端部から流下した水を側部水切りの上端部において側部水切り内の箱体側に誘導し、水が扉の内側に浸入することを防止することができ、屋外で使用される電気機器収納用箱の防水性を高めることができる効果がある。
【図面の簡単な説明】
【図１】第１の実施形態を示す斜視図である。
【図２】第１の実施形態を示す平面図である。
【図３】第２の実施形態を示す平面図である。
【図４】第３の実施形態を示す斜視図である。
【図５】第３の実施形態を示す平面図である。
【図６】第４の実施形態を示す平面図である。
【図７】第４の実施形態を示す側面図である。
【図８】第５の実施形態を示す側面図である。
【図９】従来例を示す斜視図である。
【図１０】従来例を示す平面図である。
【図１１】従来例を示す側面図である。
【図１２】従来例を示す平面図である。
【符号の説明】
１  上部水切り
２  扉
３  箱体
４  側部水切り
５  蝶番カラー部
１０  電気機器収納用箱の箱体
１１  開口部
１２  扉
１３  上部水切り
１４  側部水切り
１５  折曲部
１６  庇部
１７  壁部
１８  傾斜片
１９  蝶番ピン
２０  蝶番カラー
【図１】
0003732969.tif 000002
【図２】
0003732969.tif 000003
【図３】
0003732969.tif 000004
【図４】
0003732969.tif 000005
【図５】
0003732969.tif 000006
【図６】
0003732969.tif 000007
【図７】
0003732969.tif 000008
【図８】
0003732969.tif 000009
【図９】
0003732969.tif 000010
【図１０】
0003732969.tif 000011
【図１１】
0003732969.tif 000012
【図１２】
0003732969.tif 000013